(57)【特許請求の範囲】
【請求項１】
複数の長尺の床材を有し、一方の床材の一側接合部と他方の床材の他側接合部を連設させることで一連の防水床面を形成する床の構造であって、
前記一側接合部と前記他側接合部の防水床面における接合部での水密を行うための一次防水部を有し、
前記一側接合部と前記他側接合部により前記防水床面の下方に形成される空間内に構成され、前記一次防水部を通過した水を捕捉するための二次防水部を有し、
前記二次防水部は、前記床材の長手方向と同方向において長く構成される内側樋部にて構成され、
前記内側樋部の長手方向端部に配置され、前記内側樋部から送られる水を捕捉するための三次防水部を有し、
前記一側接合部と前記他側接合部には、
いずれかを相対回転させることで互いが嵌合し合う嵌合部が設けられ、
前記一側接合部は、上片部と下片部とを有し、
前記一側接合部の上片部と下片部の間に水密材を収容するための収容部が形成され、
前記他側接合部は、上片部と下片部とを有し、
前記他側接合部の上片部と下片部の間に、前記一側接合部の上片部と下片部が収容され、
前記相対回転の際に、前記一側接合部の下片部が前記他側接合部の下片部に摺接してガイドされる、
床の構造。
【請求項２】
前記三次防水部は、前記床材の長手方向と交差する方向に長く構成され、捕捉した水を床の構造の外部へと導く樋部材にて構成される、
ことを特徴とする請求項１に記載の床の構造。
【請求項３】
前記一側接合部と前記他側接合部には、
嵌合後において、互いの相対回転を規制し合う係止部が設けられる、
ことを特徴とする、請求項１又は請求項２に記載の床の構造。
【請求項４】
前記床材は、アルミニウム押出成形品にて構成される、
ことを特徴とする、請求項１乃至請求項３のいずれか一項に記載の床の構造。
【請求項５】
請求項１乃至請求項４のいずれか一項に記載の床の構造を有するバルコニー。
【発明の詳細な説明】
【技術分野】
【０００１】
本発明は、バルコニーの床など、屋外空間に接する箇所に配置される床の構造に関するものであり、より詳しくは、長尺の床材を幅方向に並設して構成される床の構造における、床下への漏水防止の技術に関する。
【背景技術】
【０００２】
従来、バルコニーの床などの構造において、長尺の床材をその幅方向に並設することで床面を構成する技術が知られており、これについて開示する文献も存在する（例えば、特許文献１参照。）。
【０００３】
特に、屋外空間に配置されるバルコニーにおいては、床上から床下への雨水の浸入（漏水）が懸念されるため、特許文献１に開示される技術では、各床材の連設部において、一方の床材の縁部の上に、防水シートを挟んで他方の床材の縁部を重ね合わせることにより、隣り合う床材の間からの雨水などの浸入を防止することとしている（特許文献１、段落００３３、防水シート７（図２）参照。）。
【特許文献１】特開平１１−３２４２８１号公報
【発明の開示】
【発明が解決しようとする課題】
【０００４】
しかし、特許文献１に開示される技術のように、隣り合う床材の接合部において、防水シートを挟んで水密性を確保する構成では、防水シートの経年劣化などによって水密性が低下することが考えられ、接合部から床下への雨水などの浸入が懸念される。
【０００５】
また、一般に、各床材の長さは数メートル（例えば、３ｍ）におよぶため、このような長尺物において、隣り合うものの床材同士を完全に平行な状態で接合し、さらにその状態を維持するのは、極めて困難である。特に、単に床材の縁部同士を防水シートを挟んで重ね合わせる構成では、組立後における寸法精度にバラツキが生じることが懸念される。
【０００６】
このため、長手方向の各箇所において隣り合う床材の間に生じる隙間部の間隔が均一とならず、ある箇所においては隙間部が大きく形成されてしまい、局所的に多くの雨水が流れ込むことも発生し得る。こうなると、劣化なども考慮すると、防水シートだけでは十分な水密性が確保できないものと考えられる。
【０００７】
そして、床下に雨水などが浸入すると、例えば、バルコニーの場合では、軒天板材の上面に水が停滞してカビが発生することや、これにともない軒天板材の表面が劣化するという不具合が生じることになる。
【０００８】
また、この雨水が浸入した場合を想定し、その対策として軒天板材に簡易な排水孔を軒天板材の隅部に設け、排水孔から雨水を逃す構成も検討されるが、実際に雨水が排水孔から排出されたりすると、排水孔の開口部に汚れが発生することになり、また、排水孔の開口部は下側から見えるため、美観上も好ましくないことになる。特に、アパートなどのバルコニーにおいては、下層階から見上げると上層階のバルコニーの排水孔が視界に入るため、好ましくないことになる。
【０００９】
さらに、前述の排水孔を設ける構成の場合においても、必ずしも排水孔に近い箇所において雨水の浸入が発生するとは限らず、排水孔から離れた箇所において浸入した雨水が、軒天板材の裏面に停留するなどすると、数時間後、或いは、数日後になって、排水孔から滴下するといった不具合も生じ得る。この場合にも、特にアパートなどのバルコニーにおいては、下層階の住人にとって不快なものとなり、苦情が発生し得ることになる。
【００１０】
そこで、本発明は、以上の問題点に鑑み、連設される床材同士の間の水密性を向上させるとともに、仮に雨水などが浸入した場合においても、その雨水を適切に排水することを可能とする新規な床の構造を提案するものである。
【課題を解決するための手段】
【００１１】
本発明の解決しようとする課題は以上の如くであり、次にこの課題を解決するための手段を説明する。
【００１２】
即ち、請求項１に記載のごとく、複数の長尺の床材を有し、一方の床材の一側接合部と他方の床材の他側接合部を連設させることで一連の防水床面を形成する床の構造であって、前記一側接合部と前記他側接合部の防水床面における接合部での水密を行うための一次防水部を有し、前記一側接合部と前記他側接合部により前記防水床面の下方に形成される空間内に構成され、前記一次防水部を通過した水を捕捉するための二次防水部を有し、前記二次防水部は、前記床材の長手方向と同方向において長く構成される内側樋部にて構成され、前記内側樋部の長手方向端部に配置され、前記内側樋部から送られる水を捕捉するための三次防水部を有し、前記一側接合部と前記他側接合部には、いずれかを相対回転させることで互いが嵌合し合う嵌合部が設けられ、前記一側接合部は、上片部と下片部とを有し、前記一側接合部の上片部と下片部の間に水密材を収容するための収容部が形成され、前記他側接合部は、上片部と下片部とを有し、前記他側接合部の上片部と下片部の間に、前記一側接合部の上片部と下片部が収容され、前記相対回転の際に、前記一側接合部の下片部が前記他側接合部の下片部に摺接してガイドされる、床の構造とする。
【００１５】
また、請求項２に記載のごとく、
前記三次防水部は、前記床材の長手方向と交差する方向に長く構成され、捕捉した水を床の構造の外部へと導く樋部材とするものである。
【００１７】
また、請求項３に記載のごとく、前記一側接合部と前記他側接合部には、嵌合後において、互いの相対回転を規制し合う係止部が設けられる、こととするものである。
【００１８】
また、請求項４に記載のごとく、前記床材は、アルミニウム押出成形品にて構成される、こととするものである。
【００１９】
また、請求項５に記載のごとく、請求項１乃至請求項４のいずれか一項に記載の床の構造を有するバルコニーとするものである。
【発明の効果】
【００２０】
本発明の効果として、以下に示すような効果を奏する。
【００２１】
即ち、請求項１に記載の発明においては、前記一側接合部と前記他側接合部の防水床面における接合部での水密により、一次防水を行うことができる。また、床材の接合部において、二段階の防水を確保することができ、床下への雨水などの浸入を防止することができる。また、内側樋部にて、防水床面から浸入した雨水などを一箇所にとどめることなく、特定の箇所へ導くことができる。また、防水床面から浸入した雨水などが内側樋部から溢れることを防止することができる。また、嵌合による組立てにより作業性が良好となり、組立後における寸法精度のバラツキも抑えられる。
【００２４】
また、請求項２に記載の発明においては、内側樋部から捕捉した水を停滞させることなく、外部へ排水することができる。
【００２６】
また、請求項３に記載の発明においては、組立て後における床材同士の回転が規制されることにより、組立後の取扱性が良好となる。
【００２７】
また、請求項４に記載の発明においては、取扱性、生産効率性、耐久性において優れたものとなる。
【００２８】
また、請求項５に記載の発明においては、雨水などの防水床面への浸入の防止に優れ、また、仮に進入した場合でも、排水をすることができる、バルコニーを構成することができる。
【発明を実施するための最良の形態】
【００２９】
次に、発明の実施の形態を説明する。
図１は、外壁１側から張り出して配置されるバルコニー１０の断面図を示すものである。外壁１と平行に配置される胴差１１、屋外側の桁部材１２、及び、屋内外方向に配置される腕部材１３とから、矩形状のフレーム１４が構成される。また、胴差１１と桁部材１２を架橋するように床根太１５が配置される。床根太１５には、屋内側よりも屋外側が低くなる勾配がつけられるように配置される。
【００３０】
また、図１に示すごとく、床根太１５には、防水パン２０が敷設され、この防水パン２０の上面に、樹脂などからなるマット３１が敷設される。このマット３１によって床面３１ａが形成されて、床３０が構成される。また、防水パン２０、及び、マット３１は、床根太１５の勾配により、屋外側が低くなるように勾配が付けられて配置される。
【００３１】
また、図１に示すごとく、床根太１５の下方には軒天板材１６が配置され、この軒天板材１６と防水パン２０の間に空間１７が構成される。この空間１７内に、排水管１８が収容されるようになっており、この排水管１８が、防水パン２０の屋外側端部に配置される床材２１Ｔに対し接続されるようになっている。なお、床材２１Ｔの上面には図示せぬ開口部が形成されており、この開口部から防水床面２３上の水を取り込んで、排水管１８へと導くように構成されている。
【００３２】
また、図１に示すごとく、屋外側の桁部材１２の長手方向において複数箇所に設置される連結部材４１の屋外側には、化粧カバー材４２が嵌着されており、この化粧カバー材４２によって、バルコニー１０の床３０の外周部４０が構成される。
【００３３】
次に、防水パンの構成について説明する。
図２に示すごとく、防水パン２０は、複数の長尺の床材２１Ａ・２１Ｂを幅方向に並設することで構成されるものであり、各床材２１Ａ・２１Ｂの水平の上板部２２・２２によって、一連の防水床面２３が形成される。この防水床面２３の上に、ブロック状のマット３１・３１が複数敷設されて床面３１ａが構成される。
【００３４】
また、図３（ａ）に示すごとく、各床材２１Ａ・２１Ｂにおいて、上板部２２の屋外側の端部には他側接合部としての屋外側接合部２４が、屋内側の端部には一側接合部としての屋内側接合部２５が、それぞれ構成されている。そして、図４（ａ）〜（ｃ）に示すごとく、隣り合う床材２１Ａ・２１Ｂの屋外側接合部２４と屋内側接合部２５とを互いに嵌合させることによって、一連の防水パン２０が構成される。
【００３５】
また、図３（ｂ）に示すごとく、床材２１Ｂの屋外側接合部２４において、上板部２２の屋外側の端部には、係合縁部２６ａが設けられている。この係合縁部２６ａは、上板部２２の上面よりも下側に形成される上片部２６ｐと、上片部２６ｐの下方に配置される下片部２６ｑを有し、この上片部２６ｐと下片部２６ｑの間に水密材３２を収容するための収容部２６ｒが形成される。
【００３６】
また、図３（ｂ）に示すごとく、床材２１Ａの屋内側接合部２５において、上板部２２の屋内側の端部には、係合受縁部２７ａが設けられている。この係合受縁部２７ａは、上板部２２の端部を構成する上片部２７ｐと、この上板部２２の下方に配置され、屋内側へ延びる下片部２７ｑと、上片部２７ｐと下片部２７ｑの間に突設される係合片部２７ｒを有している。なお、本実施形態の他、屋外側接合部２４の構成を屋内側に配置するとともに、屋内側接合部２５の構成を屋外側に配置する構成としてもよい。
【００３７】
また、図４（ｃ）に示すごとく、屋外側接合部２４と屋内側接合部２５とを嵌合させた状態では、屋内側接合部２５の上片部２７ｐにより、屋外側接合部２４の上片部２６ｐが覆われて、両床材２１Ａ・２１Ｂの上板部２２・２２によって、一連の略水平な防水床面２３が形成される。また、図３（ｂ）における断面視において、係合受縁部２７ａの下片部２７ｑの上面は円弧状とし、これに対応して、係合縁部２６ａの下片部２６ｑの下面も円弧状とすることで、後述する嵌合時においては、係合縁部２６ａの下面が係合受縁部２７ａの上面に摺接してガイドされるようになっている。
【００３８】
また、図３（ｂ）に示すごとく、床材２１Ｂの屋外側接合部２４において、係合縁部２６ａの下方には、内側樋部２６ｂが設けられている。この内側樋部２６ｂは、上板部２２から垂設される脚部２６ｃの下部において、屋外側へ横方向に延びる底板部２６ｄと、この底板部２６ｄから上方に向けて湾曲する湾曲部２６ｅと、湾曲部２６ｅの端部において壁面を構成する壁部２６ｆを有している。また、脚部２６ｃの下端部２６ｇは載置片２６ｗが形成され、この載置片２６ｗの箇所が床根太１５（図１参照）に載置されるようになっている。また、この内側樋部２６ｂは、床材２１Ｂの長手方向と同方向において長く構成される。また、この内側樋部２６ｂに、長手方向の一側が低くなる勾配がつけられることとしてもよい。
【００３９】
また、図３（ｂ）に示すごとく、床材２１Ａの屋内側接合部２５において、係合受縁部２７ａの下方には、床根太１５（図１参照）に載置される載置部２７ｂが設けられている。この載置部２７ｂは、上板部２２から垂設される脚部２７ｃの下端部から屋内側へ延びる板面によって形成される。
【００４０】
また、図３（ｂ）に示すごとく、載置部２７ｂの屋内外方向の中途部には、上方へ向けて嵌合凸部２７ｖが突設され、また、内側樋部２６ｂの屋内外方向の中途部には、上方への窪みを構成する嵌合凹部２６ｖが形設されており、図４（ｃ）に示すごとく、嵌合凸部２７ｖが嵌合凹部２６ｖに嵌入されるようになっている。
【００４１】
また、図３（ｂ）に示すごとく、載置部２７ｂの屋内側端部には、他の部位よりも上方に位置させた係止片部２７ｗが形設され、図４（ｃ）に示すごとく、係止片部２７ｗが脚部２６ｃの載置片２６ｗの上側に重ねられ、係止片部２７ｗと載置片２６ｗが係合される。また、この係合がなされた状態では、載置部２７ｂの下面と、載置片２６ｗの下面にて、略水平の載置面２８が構成される。
【００４２】
そして、図４（ａ）〜（ｃ）に示すようにして、床材２１Ａ・２１Ｂの接合が行われる。
まず、図４（ａ）に示すごとく、床材２１Ａに対して床材２１Ｂを傾けた状態とし、床材２１Ａの屋内側接合部２５の係合受縁部２７ａに対して、床材２１Ｂの屋外側接合部２４の係合縁部２６ａを挿入させる。また、この挿入の前においては、係合縁部２６ａの収容部２６ｒ内に水密材３２が嵌め込まれる。また、屋外側接合部２４の内側樋部２６ｂを屋内側接合部２５の載置部２７ｂに載置させる。ここで、内側樋部２６ｂには、湾曲部２６ｅが形成されているため、図４（ａ）のように、床材２１Ｂを傾けた状態での係合受縁部２７ａへの係合縁部２６ａの挿入が可能となる。
【００４３】
そして、図４（ｂ）に示すごとく、床材２１Ｂの上板部２２を水平とする方向に回転させる。この際、係合縁部２６ａの下面が係合受縁部２７ａの上面に摺接してガイドされるため、作業性が良好なものとなる。また、これにより、係合縁部２６ａが係合受縁部２７ａによって支えられることになるため、床材２１Ａから床材２１Ｂがずれ落ちるなどの作業ミスを防止することができ、作業性が良好なものとなる。そして、図４（ｂ）の床材２１Ｂの回転角度の状態で、内側樋部２６ｂの湾曲部２６ｅが載置部２７ｂの嵌合凸部２７ｖに乗り上げられる。
【００４４】
そして、図４（ｂ）の状態から床材２１Ｂをさらに回転させる力を加えると、内側樋部２６ｂが撓み、湾曲部２６ｅが嵌合凸部２７ｖを乗り越える。そして、図４（ｃ）に示すごとく、嵌合凹部２６ｖに嵌合凸部２７ｖが嵌入される。このように、屋内側接合部２５と屋外側接合部２４には、いずれかを相対回転させることで互いが嵌合し合う嵌合部（嵌合凹部２６ｖ、嵌合凸部２７ｖ）が設けられる構成としている。
【００４５】
また、図４（ｂ）に示すごとく、この嵌入の際には、内側樋部２６ｂの撓みが復帰して振動が発生することになり、作業者は嵌合状態が行われたことを確認することができ、作業性が良好なものとなる。また、これにより、床材２１Ｂが床材２１Ａに対して確実に接合されたことを認識することができることになり、作業性が良好なものとなる。また、これにより、作業者による作業のバラツキや、組立後における寸法精度のバラツキの発生を防止できることになる。
【００４６】
また、図４（ｃ）に示すごとく、載置部２７ｂの係止片部２７ｗが、脚部２６ｃの載置片２６ｗの上側に重ねられることで、両者の下面において略水平の載置面２８が形成される。そして、このように載置面２８が形成された状態では、載置片２６ｗが載置部２７ｂに突き当たるため、床材２１Ｂのさらなる回転（図において時計回りの方向）が規制される。また、載置片２６ｗが係止片部２７ｗによって上側から抑えられることになるため、床材２１Ｂの逆方向の回転（図において反時計回りの方向）が規制される。このように、屋内側接合部２５と屋外側接合部２４には、嵌合後において、互いの相対回転を規制し合う係止部（載置片２６ｗ、係止片部２７ｗ）が設けられるようになっている。
【００４７】
また、図４（ｃ）に示すごとく、嵌合凹部２６ｖと嵌合凸部２７ｖが嵌合された状態であるため、この嵌合によっても、床材２１Ｂの回転が規制される。
【００４８】
そして、図４（ｃ）に示すごとく、ひとたび床材２１Ａ・２１Ｂを組み立てた後は、床材２１Ａと床材２１Ｂの相対角度が維持されることになり、床材２１Ａ・２１Ｂが互いに回転し合うなどして不安定になることがない。そして、互いに固定された一つの床材として取り扱うことができ、組立後の取扱性が良好となる。この取扱性については、床材が長尺部材であり、組立後は大型のものとなることから、搬送過程などにおいて重要なものとなり、またクレーン等で吊り上げて施工する際にも、極めて良好な効果を発揮することになる。また、この取扱性に加え、生産効率と耐久性の観点から、各床材２１Ａ・２１Ｂについては、アルミニウム押出成形品にて構成されることが好適である。また、これにより、防水パン２０全体としての重量を軽量とすることができる。
【００４９】
次に、以上のようにして接合された床材の接合箇所における水密性について説明する。
図４（ｃ）に示すごとく、床材２１Ａ・２１Ｂの接合箇所においては、まず、水密材３２により、防水床面２３から床下への防水に関する一次防水が行われ、水密材３２が一次防水部として機能する。即ち、屋外側接合部２４の上片部２６ｐと屋内側接合部２５の上片部２７ｐの間から雨水が浸入した際においては、収容部２６ｒに収容された水密材３２によって雨水のさらなる移動を防止することができる。なお、水密材３２の素材については、特に限定されないが、ゴムなどの収縮性・復帰性のある弾性部材であって、線状に構成されるものを利用することにより、収容部２６ｒを密閉するとともに、連続的な止水性を確保することが望ましい。
【００５０】
また、図４（ｃ）に示すごとく、床材２１Ａ・２１Ｂの接合箇所においては、屋内側接合部２５と屋外側接合部２４には、空間２１Ｋが形成され、該空間２１Ｋ内に形成される内側樋部２６ｂにより、防水床面２３から床下への防水に関する二次防水が行われる。即ち、雨水が水密材３２による一次防水を通過した場合においても、この雨水を内側樋部２６ｂにて捕捉することで、防水パン２０の下方への雨水の移動を防止することができ、また、防水床面から浸入した雨水などを一箇所にとどめることなく、特定の箇所へ導くことができる。本実施形態では、内側樋部２６ｂが二次防水部として機能する。
【００５１】
以上のように構成することで、図１乃至図４に示すごとく、
複数の長尺の床材２１Ａ・２１Ｂを有し、一方の床材２１Ａの屋内側接合部２５と他方の床材２１Ｂの屋外側接合部２４を連設させることで一連の防水床面２３を形成する床の構造であって、
前記屋内側接合部２５と前記屋外側接合部２４の防水床面２３における接合部での水密を行うための一次防水部（水密材３２）と、
前記屋内側接合部２５と前記屋外側接合部２４により前記防水床面２３の下方に形成される空間内に構成され、前記一次防水部を通過した水を捕捉するための二次防水部（内側樋部２６ｂ）と、を有する床の構造が構成される。
【００５２】
そして、以上の構成によれば、床材２１Ａ・２１Ｂの接合部において、二段階の防水を確保することができ、床下への雨水などの浸入を防止することができる。
【００５３】
さらに、図２に示すごとく、内側樋部２６ｂ・２６ｂ内に溜まった水を排水することを想定し、防水パン２０には、樋部材２９Ａが設けられる。この樋部材２９Ａは、床材２１Ａ・２１Ｂの長手方向端部に配置され、内側樋部２６ｂ・２６ｂの端部に移動した水を捕捉して屋外側へと流すものである。
【００５４】
図２に示すごとく、この樋部材２９Ａによって、例えば、床材２１Ａの屋外側での接合部２１Ｔから浸入した雨水３ｂを外周部４０に形成される空間部４７へ導くとともに、桁下水切材４６を伝わせて外部へ排水することができる。
【００５５】
また、図２に示すごとく、この樋部材２９Ａは、屋内外方向に長い長尺部材に構成され、図５に示すごとく、長手方向において連接する防水パン２０Ａ・２０Ｂの連接部においては、それぞれ、樋部材２９Ａ・２９Ｂが配置されるようになっている。
また、各樋部材２９Ａ・２９Ｂは、各防水パン２０Ａ・２０Ｂ（床材２１・２１）の長手方向側端部を覆う縦壁部２９ｂと、縦壁部２９ｂから防水パン２０Ａ・２０Ｂの長手方向内側へ延設されて防水パン２０Ａ・２０Ｂの下方に配置される底板部２９ｃと、底板部２９ｃにおける防水パン２０Ａ・２０Ｂの長手方向内側端部から上方に延設される縦壁部２９ｄと、を有している。
また、樋部材２９Ａ・２９Ｂは、互いの縦壁部２９ｂ・２９ｂの背中を合わせるようにして配置される。
【００５６】
そして、図５に示すごとく、樋部材２９Ａ・２９Ｂにおいて、縦壁部２９ｂの下部と、底板部２９ｃと、縦壁部２９ｄによって囲まれる内側樋部２９ｅが形成される。この内側樋部２９ｅによって、防水パン２０Ａ・２１Ｂ（防水パン２０）の内側樋部２６ｂの端部に移動した水を捕捉するとともに、屋外側へと流すことができる。そして、屋外側へと流された水は、図２に示すごとく、外周部４０に形成される空間部４７を介して排水させることができる。
【００５７】
なお、本実施形態では、図２に示すごとく、樋部材２９Ａについて屋外側が低くなる勾配をつけて配置することで、屋外側へと排水される構成としたが、樋部材２９Ａについて屋内側が低くなる勾配をつけて配置し、屋内側端部を排水管１８（図１参照）と接続するなどすることとしてもよい。また、図５に示すごとく、樋部材２９Ａ・２９Ｂは、外壁側から延設される腕部材１３が配置される箇所に設けられ、図２に示すごとく、その屋外側の端部が、桁部材１２の縦壁部１２ａに塞がれずに、空間部４７に開放されるようになっている。これにより、樋部材２９Ａ・２９Ｂと空間部４７が連通され、樋部材２９Ａ・２９Ｂの屋外側端部から雨水３ｂなどを排出できるようになっている。
【００５８】
そして、図２に示すごとく、以上のように樋部材２９Ａを設けることによって、床材２１Ａの接合部２１Ｔから雨水３ｂが浸入し、内側樋部２６ｂへ捕捉された場合において、この内側樋部２６ｂに捕捉された雨水を樋部材２９Ａ、及び、空間部４７を介して外部へ排水することが可能となる。仮に、樋部材２９Ａがない場合には、図４（ｃ）に示すごとく、床材２１Ｂの内側樋部２６ｂに水が充満してしまい、壁部２６ｆから水が溢れ、載置部２７ｂの係止片部２７ｗと脚部２６ｃの載置片２６ｗの間から漏水し、防水パン２０の下方へ水が浸入してしまうことになる。
【００５９】
また、図２及び図５に示すごとく、樋部材２９Ａを設けることにより、床材２１Ａの接合部２１Ｔ（図２参照）の内側樋部２６ｂ（図５参照）に水が浸入し二次防水がなされた際に、この二次防水にて捕捉した水が防水パン２０の下方へ移動することを防止できる機能、即ち、三次防水を形成することができる。本実施形態では、樋部材２９Ａが、前記内側樋部２６ｂの長手方向端部に設けられ、前記内側樋部２６ｂから送られる水を捕捉するための三次防水部として機能することになる。
【００６０】
以上のようにして、本実施形態では、図２及び図４（ｃ）に示すごとく、水密材３２による一次防水、内側樋部２６ｂによる二次防水、樋部材２９Ａによる三次防水を、それぞれ構成することができる。
【００６１】
また、図５に示すごとく、樋部材２９Ａ・２９Ｂを防水パン２０Ａ・２０Ｂの長手方向における両端部に配置することとし、これにより、防水パン２０Ａ・２０Ｂの長手方向の両側において、樋部材２９Ａ・２９Ｂによる三次防水が実現される。
【００６２】
また、図５に示すごとく、樋部材２９Ａ・２９Ｂのそれぞれにおいて、縦壁部２９ｄの上端を床材２１の床根太への載置面２８に当接させる構成とすることで、縦壁部２９ｂの下部、底板部２９ｃ、縦壁部２９ｄ、及び、載置面２８によって囲まれる内側樋部２９ｅが閉じた空間となるため、多量の水が内側樋部２６ｂに浸入した場合でも、この水を内側樋部２６ｂから溢れさせることなく流すことが可能となる。
【００６３】
また、図５に示すごとく、樋部材２９Ａ・２９Ｂにおいて、床材２１の長手方向内側へ延設される上片部２９ａ・２９ａが設けられる。また、この上片部２９ａ・２９ａの上面を跨いで上側から蓋して覆うように、カバー材３３が取り付けられる。このカバー材３３は、屋内外方向に長い長尺部材であって、上片部２９ａ・２９ａを覆う板面部３３ａと、板面部３３ａの短手方向端部から下方に延設される足面部３３ｂ・３３ｂを有している。このカバー材３３によって、両樋部材２９Ａ・２９Ｂの接合部を隠すことができる。
【００６４】
また、図６（ａ）に示すごとく、樋部材２９Ａ・２９Ｂにおいて、床材２１の長手方向内側へ延設されて、床材２１の上板部２２を覆う上片部２９ｆを設けてもよい。この構成によれば、上板部２２に上片部２９ｆが接触されることにより、床材２１と樋部材２９Ａ・２９Ｂの間の隙間の形成を抑えることができ、上板部２２の上面から樋部材２９Ａ・２９Ｂへの雨水の浸入を規制することができる。また、マット３１の上面に上片部２９ｆが現れないため、マット３１によって形成される床面３１ａにおいて段差のない構成とすることができる。さらに、図６（ｂ）に示すごとく、上片部２９ａ・２９ｆの両方を設けるとともに、カバー材３３を設けることとしてもよい。
【００６５】
次に、図１に示される床３０の外周部４０の構造について説明する。
この外周部４０は、外壁１側から張り出すバルコニー１０の床３０の外周の縁部分を構成するものであり、屋外側の桁部材１２と、妻側の腕部材１３の周囲に構成される。また、この外周部４０の外観は、化粧カバー材４２、桁上水切材４５、桁下水切材４６などによって形成されるようになっている。
なお、妻側の腕部材１３の周囲においても、屋外側の桁部材１２の周囲に構成される外周部４０と同様の構成が適用されるものであり、以下では、桁部材１２の周囲に構成される外周部４０の構成を用いて説明をする。
【００６６】
図７及び図８に示すごとく、桁部材１２は長尺部材であって、この桁部材１２に床根太１５が支持される。また、この桁部材１２には、その下端から床根太１５の上面にかけて一連の縦壁部１２ａが構成される。また、桁部材１２の縦壁部１２ａには、バルコニー壁４３の支柱４３ａを支持する支持ブラケット４９の基部４９ａが固定されている。この基部４９ａは板状に構成され、固着具５１・５１によって縦壁部１２ａに固定される。
【００６７】
また、図７及び図８に示すごとく、桁部材１２の縦壁部１２ａには、化粧カバー材４２などを固定するための連結部材４１が固定される。この連結部材４１は、固着具５１・５１によって桁部材１２の縦壁部１２ａに固定され、この連結部材４１と桁部材１２の間に、支持ブラケット４９の基部４９ａが介挿される。また、連結部材４１は、図８に示すごとく、桁部材１２の長手方向において、複数箇所に間隔を開けて配置される。
【００６８】
また、図７に示すごとく、連結部材４１の縦壁部４１ａの上下中途部から屋外側に向けて上側支持片４１ｂが延設される。また、上側支持片４１ｂは、屋外側において上方に屈折されて小縦壁部４１ｃが形成され、さらに、この小縦壁部４１ｃの上端部から屋外側へ延出した後に上方へ延設される係止端部４１ｄが設けられている。
【００６９】
また、図７に示すごとく、上側支持片４１ｂの下方において、縦壁部４１ａから屋外側に向けて下側支持片４１ｅが延設される。この下側支持片４１ｅの屋外側には、下側支持片４１ｅの端部が屋内側に折り返されるようにして形成される係止端部４１ｆが設けられている。
【００７０】
また、図７に示すごとく、連結部材４１に対し、屋外側から化粧カバー材４２が取り付けられる。また、図８に示すごとく、この化粧カバー材４２は長尺部材であり、屋外側の外装面を形成する外装面部４２ａを有している。
【００７１】
また、図７に示すごとく、化粧カバー材４２の屋内側面４２Ｍは、桁部材１２の屋外側面１２Ｍと対向して配置され、この化粧カバー材４２の屋内側面４２Ｍと桁部材１２の屋外側面１２Ｍとの間に空間部４７が形成されるようになっている。この空間部４７は、図８に示すごとく、化粧カバー材４２を屋外側から臨んだときに、化粧カバー材４２の裏側であって、桁部材１２の屋外側に構成される空間となる。
【００７２】
また、図７に示すごとく、化粧カバー材４２の屋内側面４２Ｍにおける上下箇所には、連結部材４１の係止端部４１ｄ・４１ｆにそれぞれ係合するための係止片４２ｄ・４２ｆが、屋内側に向けて延設されている。この係止片４２ｄ・４２ｆにて連結部材４１の係止端部４１ｄ・４１ｆを上下方向から挟み込むようにすることで、化粧カバー材４２が連結部材４１に嵌合固定される。この嵌合固定により、固着具を必要とすることなく、化粧カバー材４２の固定が可能となる。
【００７３】
また、図７に示すごとく、連結部材４１の上部において、小縦壁部４１ｃ、上側支持片４１ｂ、及び、縦壁部４１ａの上端部によって囲まれる空間には、支持材４４が収容固定されており、この支持材４４によって長尺の桁上水切材４５が下側から支持される。
【００７４】
また、図８に示すごとく、支持材４４は、連結部材４１で略同一幅に構成されて、桁部材１２の長手方向において間隔を開けて配置される。これにより、桁上水切材４５は、その長手方向の複数箇所において、支持材４４・４４にて支持される。
【００７５】
また、図７に示すごとく、桁上水切材４５には、板状の表面を形成する上板部４５ａが設けられており、この上板部４５ａによって、外周部４０の上部の外観が構成される。また、支持材４４の上部には、屋内側に延設される上片部４４ａが設けられ、この上片部４４ａが桁上水切材４５の上板部４５ａの屋内側の部位によって覆われる。また、該上板部４５ａの屋内側端部は下方に垂下され、水切り部４５ｂが形成される。水切り部４５ｂを伝って落下した雨水は、防水パン２０側に落下される。
【００７６】
また、図８に示すごとく、桁上水切材４５において、バルコニー壁４３の支柱４３ａを支持するための支持ブラケット４９が配置される箇所では、支持ブラケット４９の縦壁部４９ｂを上下方向に貫通させるための貫通部４６ｋが設けられている。これにより、縦壁部４９ｂが桁上水切材４５の下側から上側に向けて貫通して配置され、この縦壁部４９ｂによって支柱４３ａが支持されるようになっている。
【００７７】
また、図７に示すごとく、桁上水切材４５の上片部４４ａの屋外側の端部は、上方に立ち上がる縦壁部４５ｃが構成され、該縦壁部４５ｃの上端部から屋外側に向かって屋外側上片部４５ｄが延設されている。この屋外側上片部４５ｄの屋外側端部から、下方に向かって屋外側水切部４５ｅが垂設される。この屋外側水切部４５ｅの外側面は、化粧カバー材４２の外側面よりも屋外側に配置されており、これにより、屋外側水切部４５ｅを伝って落下する雨水は、化粧カバー材４２の外装面部４２ａよりも屋外側へと落下され、化粧カバー材４２の裏側の空間部４７へ浸入しないようになっている。以上のように構成する桁上水切材４５によって、外周部４０の内部への雨水の浸入が防止されるようになっている。
【００７８】
また、図７に示すごとく、支持材４４の屋内側に構成される縦壁部４４ａの屋内側面は、防水パン２０の屋外側に形成される縦壁部２０ａに対向する。そして、両縦壁部４４ａ・２０ａの間には、上下方向に連通する隙間部５２が形成される。また、防水パン２０の縦壁部２０ａの上端には、屋内側に屈折される上片部２０ｂが設けられている。この防水パン２０の上片部２０ｂと、桁上水切材４５の上板部４５ａの下面との間には、長尺の水密材４８が挟装され、この水密材４８が、防水パン２０の上片部２０ｂ、及び、上板部４５ａに当接される。また、この水密材４８は、支持材４４が存在する箇所においては、支持材４４の上板部４４ｂと、防水パン２０の上片部２０ｂの間に挟装され、この水密材４８が、防水パン２０の上片部２０ｂ、及び、上板部４４ｂに当接される。これにより、桁上水切材４５の上板部４５ａと、防水パン２０の上片部２０ｂの間の隙間が塞がれて、防水パン２０側から屋外側の隙間部５２への雨水などの移動が規制される。
【００７９】
また、図７に示すごとく、連結部材４１の縦壁部４１ａの下端には、屋内外方向に延設される下片部４１ｇが設けられている。この下片部４１ｇの屋外側の部位は、屋外側が低くなるように勾配が設けられている。また、下片部４１ｇの下面には、桁下水切材４６が取り付けられている。この桁下水切材４６は、図８に示すごとく、桁部材１２と同様に長尺部材であり、長手方向に複数箇所に存在する連結部材４１の下片部４１ｇのそれぞれに対し固定される。
【００８０】
また、図７に示すごとく、桁下水切材４６は、下片部４１ｇに固定され、屋外側が低くなる勾配を形成する傾斜面部４６ａと、該傾斜面部４６ａの下方に配置されて屋外側が低くなる勾配を形成する第二の傾斜面部４６ｂを有している。また、桁下水切材４６は、傾斜面部４６ａと第二の傾斜面部４６ｂの間を塞ぐ縦壁部４６ｃと、第二の傾斜面部４６ｂから下方に垂下され、その屋外側の壁面が化粧カバー材４２よりも屋外側に構成される水切部４６ｄを有している。このような水切部４６ｄの配置により、雨水などを床３０から最も遠い位置において落下させることができる。
【００８１】
また、図７に示すごとく、この桁下水切材４６と化粧カバー材４２の間には隙間部５４が確保され、この隙間部５４を介して、外周部４０の外部の空間と、外周部４０の内部の空間、即ち、化粧カバー材４２の屋内側面４２Ｍと桁部材１２の屋外側面１２Ｍとの間に形成される空間部４７が連通されるようになっている。
【００８２】
また、図７に示すごとく、桁下水切材４６には、連結部材４１の下片部４１ｇよりも屋内側において立設する縦壁部４６ｆが設けられている。また、この縦壁部４６ｆの上端には、屋外側へ延設される水返し部４６ｇが設けられている。さらに、桁下水切材４６において、水返し部４６ｇよりも屋内側には、上方に立設される第二の縦壁部４６ｈが設けられている。
【００８３】
そして、図８に示すごとく、桁上水切材４５から内部に浸入した雨水３ａなどは、化粧カバー材４２の屋内側面４２Ｍ（図７参照）と桁部材１２の屋外側面１２Ｍとの間に形成される空間部４７を介して、桁下水切材４６に落下し、その上面を伝って屋外側へと導かれて、下方へと落下するように排水される。
【００８４】
以上のように、図７及び図８に示すごとく、床３０の外周部４０の構造であって、屋外空間に接する箇所に設置される床３０の外周部に配置される躯体部材（桁部材１２、腕部材１３）と、躯体部材に取り付けられる外装材（化粧カバー材４２、桁下水切材４６）を有し、外装材の内側面と、躯体部材の外側面との間に空間部４７が形成されるとともに、外装材に、空間部４７と屋外空間とを連通させるための隙間部５４が構成されることとするものである。
【００８５】
また、図７及び図８に示すごとく、外装材は、躯体部材の外側面に対して対向配置される化粧カバー材４２と、化粧カバー材４２の下方に配置される水切材（桁下水切材４６）とから構成され、カバー材と水切材との間に隙間部５４が構成されることとするものである。このように、水切材を有する構成とすることにより、雨水などを床３０から最も遠い位置において落下させることができ、例えば、アパートなどにおいて、下層階におけるバルコニーの床への落下を防止することができる。
【００８６】
また、図２及び図８に示すごとく、空間部４７に、床３０の防水床面２３よりも下方に浸入した水を捕捉する樋部材２９Ａの端部を連通させることで、樋部材２９Ａにて導かれた水（雨水３ｂ）を、空間部４７、及び、隙間部５４を介して屋外空間へ排出する構成とするものである。
【００８７】
以上のようにして、図７及び図８に示すごとく、桁上水切材４５から外周部４０の内部に浸入した雨水３ａ（図８）などを、外周部４０の内部で停滞させることなく、外部へ排出させることができる。特に、図８に示すごとく、桁上水切材４５・４５の継目部４５Ｔ（接合部：桁上水切材４５の直線部やコーナー部（出隅部）などに形成される）や、化粧カバー材４２・４２の継目部４２Ｔ（接合部）においては、水密性が低下することが懸念されるが、これら継目部４５Ｔ・４２Ｔから浸入する雨水などを速やかに外部へ排出することができる。
【００８８】
また、図８に示すごとく、桁上水切材４５において、支持ブラケット４９の縦壁部４９ｂが貫通する貫通部４６ｋにおいては、この貫通部４６ｋと縦壁部４９ｂとの間に形成される隙間部により、水密性を確保するのが難しいことが懸念されるが、この貫通部４６ｋの箇所において浸入する雨水３ｃなどについても、速やかに外部へ排出することができる。
【００８９】
また、図７に示すごとく、多量の雨水などが外周部４０の内部に浸入した場合でも、桁下水切材４６に設けた水返し部４６ｇ、及び、第二の縦壁部４６ｈにより、軒天板材１６の上方に形成される空間１７内への水の浸入を堰き止めることができ、多量の雨水などを外部へと確実に排出することができる。
【００９０】
また、図８に示すごとく、この空間部４７内に、前述した三次防水を形成する樋部材２９Ａ・２９Ｂからの雨水３ｂなどを導くことにより、図２にも示されるように、防水パン２０の床材２１Ａの接合部２１Ｔに浸入した雨水３ｂなどを外部へ排出することができる。また、この樋部材２９Ａからの雨水３ｂなどが多量であり、桁下水切材４６において多量の水が伝う場合であっても、前述したように、図７に示される桁下水切材４６に設けた水返し部４６ｇ、及び、第二の縦壁部４６ｈによって、多量の雨水などを外部へと確実に排出することができる。
【産業上の利用可能性】
【００９１】
本発明の床の外周部の構造は、二階以上に設けられるバルコニーに適用されるほか、例えば、庭に設けられるデッキなど、屋外空間に接する箇所に設置される床について、幅広く適用可能である。
【図面の簡単な説明】
【００９２】
【図１】床の構造の一実施形態について示す断面図。
【図２】床の構造の一実施形態について示す断面斜視図。
【図３】（ａ）は、複数の床材の接合した状態について示す断面図。（ｂ）は、屋外側接合部及び、屋内側接合部の構成について示す断面図。
【図４】（ａ）は、屋外側接合部に屋内側接合部を挿入する段階について説明する断面図。（ｂ）は、屋内側接合部を回転させる過程について説明する断面図。（ｃ）は、屋外側接合部と屋内側接合部を嵌合させた状態について説明する断面図。
【図５】防水パンの長手方向の接合部における樋部材の配置について示す断面図
【図６】（ａ）は、樋部材の他の実施形態について示す断面図。（ｂ）は、樋部材のさらなる他の実施形態について示す断面図。
【図７】外周部の構成について示す断面図。
【図８】軒側から臨んだ際における外周部の構成について説明する図。
【符号の説明】
【００９３】
１    外壁
１０    バルコニー
１１    胴差
１２    桁部材
１３    腕部材
１４    フレーム
１５    床根太
２０    防水パン
２１    床材
２１Ａ    床材
２１Ｂ    床材
２２    上板部
２３    防水床面
２４    屋外側接合部
２５    屋内側接合部
２６ｂ    内側樋部
２９Ａ    樋部材
３０    床
３２    水密材
４０    外周部
【図１】
0005197134.tif 000002
【図２】
0005197134.tif 000003
【図３】
0005197134.tif 000004
【図４】
0005197134.tif 000005
【図５】
0005197134.tif 000006
【図６】
0005197134.tif 000007
【図７】
0005197134.tif 000008
【図８】
0005197134.tif 000009